(57)【要約】【課題】  浸漬バッグ付携帯用カップ又は碗の提供。【解決手段】  二つ以上のカップ又は碗が相互に嵌合される方式で重ね合わされて携帯カップ又は碗セットを形成し、各カップ又は碗内に浸漬バッグが設置され、別にカップセットの最上方のカップ又は碗の開口がカバーで閉じられ、各カップ又は碗の浸漬バッグがその上方のカップ又は碗とカバーにより制限、隔離され、また全体のカップ又は碗の外部がシュリンクフィルムで完全且つ緊密に被覆され、美しく包装されたカップ又は碗セット形態を形成し、実際の使用上、緊密に被覆するシュリンクフィルムをその下方より上に切り開き、最も下方のカップ又は碗を順調に離脱させられ、その他の積層したカップ又は碗を密封状態に保持でき、分離したカップ又は碗に熱水を注いでいつでもどこでも茶をいれることができる。【選択図】        図１
0003107442.tif 000002
【実用新案登録請求の範囲】
【請求項１】
二つ以上のカップが相互に嵌合されて積み重ねられて携帯カップセットが形成され、各カップ内に浸漬バッグが置かれ、別に携帯カップセットの最も上方のカップの開口が取り外し自在にカバーで閉じられ、各カップ内の浸漬バッグがその上方のカップとカバーで制限、隔離され、全体の携帯カップセットの外部が一層のシュリンクフィルムで完全且つ緊密に被覆され、完全に包装された携帯カップセット形態が形成されたことを特徴とする、浸漬バッグ付携帯用カップ。
【請求項２】
請求項１記載の浸漬バッグ付携帯用カップにおいて、浸漬バッグが茶葉、コーヒー粉、ココア粉のいずれかを収容したバッグとされたことを特徴とする、浸漬バッグ付携帯用カップ。
【請求項３】
請求項１記載の浸漬バッグ付携帯用カップにおいて、シュリンクフィルムに複数の極小の孔が離間配置されてなる直線状或いは環状の切り取り線が設けられたことを特徴とする、浸漬バッグ付携帯用カップ。
【請求項４】
二つ以上の碗が相互に嵌合されて積み重ねられて携帯碗セットが形成され、各碗内に浸漬バッグが置かれ、別に携帯碗セットの最も上方の碗の開口が取り外し自在にカバーで閉じられ、各碗内の浸漬バッグがその上方の碗とカバーで制限、隔離され、全体の携帯碗セットの外部が一層のシュリンクフィルムで完全且つ緊密に被覆され、完全に包装された携帯碗セット形態が形成されたことを特徴とする、浸漬バッグ付携帯用碗。
【請求項５】
請求項１記載の浸漬バッグ付携帯用碗において、浸漬バッグがスープを収容したバッグとされたことを特徴とする、浸漬バッグ付携帯用碗。
【請求項６】
請求項１記載の浸漬バッグ付携帯用碗において、シュリンクフィルムに複数の極小の孔が離間配置されてなる直線状或いは環状の切り取り線が設けられたことを特徴とする、浸漬バッグ付携帯用碗。
【考案の詳細な説明】
【技術分野】
【０００１】
本考案は浸漬バッグ付カップに係り、茶をいれるのに便利な携帯式のカップ又は碗に関する。
【背景技術】
【０００２】
伝統的な中国茶道には完全な茶道具が必要で、過程が煩瑣で複雑である。しかし使用者にとっては味及びかおりをじっくり楽しめるほか、嗜みを学べる長所があるため、現代人でも中国茶道を楽しむ人は少なくない。伝統的な中国茶道では、まず適量の茶葉をポット内に入れ、更に熱湯を数回に分けて注ぎ、必要な茶湯を順にカップ内に入れて、広がる香りを楽しむと共に飲用に供する。このような茶道形態は、長年にわたり続けられ、且つ費やす時間が長く、また茶道具は破損しやすく、一種の余暇の活動に属する。ただし現代人の生活は忙しく、長い作業時間に拘束されるため、このような活動にさける時間はあまりない。しかし、このような茶の習慣を楽しめないことは現代人にとって大きな損失である。
【考案の開示】
【考案が解決しようとする課題】
【０００３】
本考案の主要な目的は、茶をいれやすい浸漬バッグ付携帯用カップ又は碗を提供することにあり、それは、独立したカップ又は碗内に浸漬バッグを入れたものを積み重ねてなり、個人が携帯するのに便利であるほか、随時単一のカップ又は碗を取り出して茶を入れることができ、随時飲用できる効果を達成し、並びに伝統的な茶道形態を簡易化し、現代人に茶を入れるための新規で便利な形態を提供するものとする。
【０００４】
本考案のもう一つの目的は、一種の浸漬バッグ付携帯用カップ又は碗を提供することにあり、それは、複数の浸漬バッグ付携帯用カップを相互に嵌合させて積層させた形態を採用することで、運搬、運送及び保存作業に便利とし、空間を節約し、経済性に符合するようにしたものとする。
【課題を解決するための手段】
【０００５】
請求項１の考案は、二つ以上のカップが相互に嵌合されて積み重ねられて携帯カップセットが形成され、各カップ内に浸漬バッグが置かれ、別に携帯カップセットの最も上方のカップの開口が取り外し自在にカバーで閉じられ、各カップ内の浸漬バッグがその上方のカップとカバーで制限、隔離され、全体の携帯カップセットの外部が一層のシュリンクフィルムで完全且つ緊密に被覆され、完全に包装された携帯カップセット形態が形成されたことを特徴とする、浸漬バッグ付携帯用カップとしている。
請求項２の考案は、請求項１記載の浸漬バッグ付携帯用カップにおいて、浸漬バッグが茶葉、コーヒー粉、ココア粉のいずれかを収容したバッグとされたことを特徴とする、浸漬バッグ付携帯用カップとしている。
請求項３の考案は、請求項１記載の浸漬バッグ付携帯用カップにおいて、シュリンクフィルムに複数の極小の孔が離間配置されてなる直線状或いは環状の切り取り線が設けられたことを特徴とする、浸漬バッグ付携帯用カップとしている。
請求項４の考案は、二つ以上の碗が相互に嵌合されて積み重ねられて携帯碗セットが形成され、各碗内に浸漬バッグが置かれ、別に携帯碗セットの最も上方の碗の開口が取り外し自在にカバーで閉じられ、各碗内の浸漬バッグがその上方の碗とカバーで制限、隔離され、全体の携帯碗セットの外部が一層のシュリンクフィルムで完全且つ緊密に被覆され、完全に包装された携帯碗セット形態が形成されたことを特徴とする、浸漬バッグ付携帯用碗としている。
請求項５の考案は、請求項１記載の浸漬バッグ付携帯用碗において、浸漬バッグがスープを収容したバッグとされたことを特徴とする、浸漬バッグ付携帯用碗としている。
請求項６の考案は、請求項１記載の浸漬バッグ付携帯用碗において、シュリンクフィルムに複数の極小の孔が離間配置されてなる直線状或いは環状の切り取り線が設けられたことを特徴とする、浸漬バッグ付携帯用碗としている。
【考案の効果】
【０００６】
本考案は複数のカップ又は碗を相互に嵌合させて積み重ねた形式を利用し、並びに各カップ又は碗内に浸漬バッグが放置され、携帯カップ又は碗セットを形成し、一方で外出時の携帯に相当に便利で、且つ随時取り出して飲用に供することができ、随時飲用の便利性を達成し、また一方で、量産時の運搬及び運送、保存に便利で、大幅にその体積と放置空間を節約でき、経済的である。
【０００７】
総合すると、本考案は簡単な構造設計の携帯カップ又は碗セットを利用し、それを茶等の飲用方面に運用し、使用上及び機能上、従来の茶道具よりも明らかに進歩しており、またその構造はその出願前に頒布された刊行物に記載がなく、また公開使用されていないため、新規性を有し、産業上の利用価値を有している。
【考案を実施するための最良の形態】
【０００８】
図１は本考案の浸漬バッグ付携帯用カップ又は碗を示し、それは、少なくとも二つのカップ１０が相互に嵌合される方式で積み重ねられて携帯カップセット１を形成し、各カップ１０内に内容物を包装した浸漬バッグ１１が設けられ、この内容物は実施上は、茶葉、コーヒー粉、ココア粉等とされ、別に積み重ねられた携帯カップセット１中、最も上方のカップ１０の開口がカバー２で閉じられ、各カップ１０内の浸漬バッグ１１はいずれもその上方のカップ１０とカバー２で隔離制限され、また、全体の積み重ねられた携帯カップセット１の外部が一層のシュリンクフィルム３で完全に且つ緊密に被覆され、美しく包装されたカップセットの形態が形成され、これは図２に示されるとおりである。
【０００９】
図３に示されるように、上述の浸漬バッグ付カップの構造は、実際の使用上、緊密に被覆され全体が積み重ねられた携帯カップセット１のシュリンクフィルム３を、下方より上向きに切り開くことで、最も下方のカップ１０を順調にその他のカップ１０より分離させて、並びにその他の積み重ねられた携帯カップセット１の各カップ１０を密封状態に保持することができる。その後、分離したカップ１０に熱湯を注げば、いつでもどこでも茶を飲めるようにする効果を達成でき、相当に便利である。また、シュリンクフィルム３を徐々に上向きに切り開き（一回で全部を切り開くのではない）、逐次下からカップ１０を取り出して茶を入れることができ、効率的に茶を入れることができ、伝統的な一貫した煩瑣な茶道習慣とは異なり、忙しい現代人が有限な時間内或いは仕事中に随時また便利に茶を飲めるようにすることができ、非常に便利で使用者の立場にたった設計である。
【００１０】
図４、５に示されるように、使用者がシュリンクフィルム３を切り開くのに便利なように、本考案では特にシュリンクフィルム３に複数の極小の孔を離間配列してなる直線或いは環状の切り取り線３０が設けられ、これにより使用者は携帯カップセット１中のカップ１０を取り出したい時、切り取り線３０に沿って簡単にシュリンクフィルム３を局部切り取ることができ、その他の部分を破壊することがなく、未使用のカップ１０内の浸漬バッグ１１に暫時性の密封と衛生効果を保持させることができる。
【００１１】
更に図７に示されるように、本考案の携帯カップセット１中の各カップ１０は形態の設計上、碗状の造形とすることが可能で、携帯碗セット４とすることができ、各碗４０内に各種のスープ等の浸漬バッグ１１を入れて使用者が使用者が携帯するのに便利で且つ随時飲用できる携帯碗セット４を提供している。
【００１２】
以上の実施例は本考案の範囲を限定するものではなく、本考案に基づきなしうる細部の修飾或いは改変は、いずれも本考案の請求範囲に属するものとする。
【図面の簡単な説明】
【００１３】
【図１】本考案の実施例の携帯カップセットの分解図である。
【図２】本考案の実施例の携帯カップセットの組合せ図である。
【図３】本考案の実施例の携帯カップの使用状態表示図である。
【図４】本考案の別の実施例の携帯カップセットの外観図である。
【図５】本考案の別の実施例の携帯カップセットの使用状態表示図（一）である。
【図６】本考案の別の実施例の携帯カップセットの使用状態表示図（二）である。
【図７】本考案の更に別の実施例の携帯碗セットの分解図である。
【符号の説明】
【００１４】
１  携帯カップセット                １０  カップ
１１  浸漬バッグ                    ２  カバー
３  シュリンクフィルム              ３０  切り取り線
４  携帯碗セット                    ４０  碗
【図１】
0003107442.tif 000003
【図２】
0003107442.tif 000004
【図３】
0003107442.tif 000005
【図４】
0003107442.tif 000006
【図５】
0003107442.tif 000007
【図６】
0003107442.tif 000008
【図７】
0003107442.tif 000009